(57)【要約】【課題】マイクロホン、レシーバ、及びスピーカを有するマイクロホンが段階的に引出可能な携帯電話機、該携帯電話機の制御方法、及び該携帯電話機の制御プログラムを提供する。【解決手段】携帯電話機１は、外部端末からの着信又は自機からの発信の指示を待って待機する（ステップＳ５０１）。外部端末からの着信又は自機からの発信の指示があった場合は（ステップＳ５０１／ＹＥＳ）、検出部４によってアンテナ・マイク１３の伸縮状態の検出が行われる（ステップＳ５０２）。検出部４は、検出したアンテナ・マイク１３の伸縮状態を示す信号を制御部１２に送出する。検出部４からアンテナ・マイク１３の伸縮状態を示す信号を受信した制御部１２は、該信号に基く通話モードを選択・設定する（ステップＳ５０３）。通話モードの設定が完了すると、制御部１２は送受信部３へ通話の開始を許可する（ステップＳ５０４）。【選択図】図１
2007124337.tif 000002
【特許請求の範囲】
【請求項１】
送信する音声を音声信号に変換するマイクロホンと、携帯電話機本体から段階的に引き出されるアンテナとを有し、前記アンテナの先端部に前記マイクロホンが取り付けられている携帯電話機において、
前記携帯電話機本体からの前記アンテナの段階的な引き出し状態を検出する検出手段と、
前記検出手段によって検出された前記アンテナの引き出し状態に基いて通話モードを設定する設定手段とを有することを特徴とする携帯電話機。
【請求項２】
着信を知らせる音を出力するスピーカと、
前記マイクロホンの感度を制御する制御手段とを有し、
前記検出手段によって前記アンテナが前記携帯電話機本体から引き出されていないことが検出されたとき、前記設定手段は、受信した音声を前記スピーカから出力し、かつ前記制御手段は前記マイクロホンの感度を高くするハンズフリーモードに設定することを特徴とする請求項１記載の携帯電話機。
【請求項３】
受信した音声を出力するレシーバを有し、
前記アンテナの先端部のみが前記携帯電話機本体から引き出されたことが前記検出手段によって検出されたとき、前記設定手段は、音声を前記レシーバから出力し、かつ前記制御手段が前記マイクロホンの感度を高くする集音モードに設定することを特徴とする請求項１又は２記載の携帯電話機。
【請求項４】
前記携帯電話機本体から所定の位置まで前記アンテナが引き出されたことが前記検出手段によって検出されたとき、前記設定手段は、音声を前記レシーバから出力し、かつ前記制御手段が前記マイクロホンの感度を低くすることを特徴とする請求項１から３のいずれか１項記載の携帯電話機。
【請求項５】
呼び出し状態において、前記検出手段によって前記アンテナが引き出し又は収納されたことを検出して応答し、通話状態とすることを特徴とする請求項１から４のいずれか１項記載の携帯電話機。
【請求項６】
通信相手先の電話番号が設定されたとき、前記検出手段によって前記アンテナが引き出し又は収納されたことを検出して発信状態とすることを特徴とする請求項１から５のいずれか１項記載の携帯電話機。
【請求項７】
通話状態において、
前記検出手段によって前記アンテナが引き出し又は収納されたことを検出し、
前記検出手段によって検出された前記アンテナの引き出し状態に応じた前記通話モードへ変更することを特徴とする請求項１から６のいずれか１項記載の携帯電話機。
【請求項８】
携帯電話機本体から段階的に引き出されるアンテナを有する携帯電話機において、
前記携帯電話機本体からの前記アンテナの段階的な引き出し状態を検出する検出手段と、
前記検出手段によって検出された前記アンテナの引き出し状態に基いて前記アンテナの受信感度を変更する変更手段とを有することを特徴とする携帯電話機。
【請求項９】
携帯電話機本体から段階的に引き出されるアンテナと、受信した音声を出力するレシーバとを有する携帯電話機において、
前記携帯電話機本体からの前記アンテナの段階的な引き出し状態を検出する検出手段と、
前記検出手段によって検出された前記アンテナの引き出し状態に基いて前記レシーバの音量を調整する調整手段とを有することを特徴とする携帯電話機。
【請求項１０】
送信する音声を音声信号に変換するマイクロホンと、携帯電話機本体から段階的に引き出されるアンテナとを有し、前記アンテナの先端部に前記マイクロホンが取り付けられている携帯電話機の制御方法において、
前記携帯電話機本体からの前記アンテナの段階的な引き出し状態を検出する検出工程と、
前記検出工程によって検出された前記アンテナの引き出し状態に基いて通話モードを設定する設定工程とを有することを特徴とする携帯電話機の制御方法。
【請求項１１】
送信する音声を音声信号に変換するマイクロホンと、携帯電話機本体から段階的に引き出されるアンテナとを有し、前記アンテナの先端部に前記マイクロホンが取り付けられている携帯電話機の制御プログラムにおいて、
前記携帯電話機本体からの前記アンテナの段階的な引き出し状態を検出する検出処理と、
前記検出処理によって検出された前記アンテナの引き出し状態に基いて通話モードを設定する設定処理とを有することを特徴とする携帯電話機の制御プログラム。
【発明の詳細な説明】
【技術分野】
【０００１】
本発明は、マイクロホンが段階的に引出可能な携帯電話機、該携帯電話機の制御方法、及び該携帯電話機の制御プログラムに関し、特に、マイクロホン、レシーバ、及びスピーカを有するマイクロホンが段階的に引出可能な携帯電話機、該携帯電話機の制御方法、及び該携帯電話機の制御プログラムに関する。
【背景技術】
【０００２】
近年、携帯電話機では、携帯性の向上のために、小型・軽量化が図られている。しかし、携帯電話機を小型化すると、使用時にマイクロホンが口元から離れ、安定した通話が行えなくなる場合がある。このような問題を解決するため、フリッパ式の携帯電話機が開発されている。フリッパ式の携帯電話機は、使用時にマイクロホン部を口元に引き出すことにより、雑音等の問題を解消している。
【０００３】
特許文献１では、電話機本体から伸縮自在に引き出されるアンテナの先端に送話器を設けることにより、通話時に送受話器間で必要な耳口間距離を確保しつつ電話機本体を小型化できると共に、送話器を分離した電話機本体の部品実装スペースを広く、自由度高く使用でき、かつ通話の前後で必要な電話機操作を簡素化した携帯電話機が提案されている。
【０００４】
特許文献２では、アンテナ棒を伸長させ、これの先端部に設けたマイクロホンをスピーカから所定距離以上遠ざかった使用位置に設定することにより、使用者の口から耳までの距離に対応した使い易い位置にマイクロホンを引き出すことができ、従来よりも人体からアンテナ部を遠ざけて通話することができるため、電磁波による人体への悪影響を軽減し、かつ不使用時にはアンテナ棒を短縮させて電話機内に収納できるコンパクトな携帯用電話機が提案されている。
【０００５】
特許文献３では、開閉検出手段により所定の開閉状態であると検出されたときであり、かつＴＶ電話判定手段によりＴＶ電話の通信状態であると判定されたときに、ハンズフリーモードとすることにより、ヘッドセットを携帯しなくても、また煩わしい操作をせずにハンズフリーモードのＴＶ電話が可能な携帯電話機が提案されている。
【特許文献１】実開平０４−３９７５８号公報
【特許文献２】特開平０９−２１５０３７号公報
【特許文献３】特開２００３−２８４０１５号公報
【発明の開示】
【発明が解決しようとする課題】
【０００６】
しかしながら、上記の発明は以下の問題を有している。
【０００７】
特許文献１記載の携帯電話機は、本体から伸縮自在に引き出されるアンテナの先端に送話器を設けることにより、通話時に送受話器間で必要な耳口間の距離を確保しているが、受話器と送話器との適切な間隔が確保されておらず、またユーザは受信時にアンテナを伸長させ、かつ受話ボタンを押下して通話しなければならず、その操作が複雑である。
【０００８】
特許文献２記載の携帯用電話機は、アンテナ棒を伸長させ、これの先端部に設けたマイクロホンをスピーカから所定距離以上遠ざかった使用位置に設定することにより、使用者の口から耳までの距離に対応した使い易い位置にマイクロホンを引き出すことができるが、ユーザが置かれている状況に応じて様々な通話モードを選択することができない。
【０００９】
特許文献３記載の携帯電話機は、開閉検出手段により所定の開閉状態であると検出されたときであり、かつＴＶ電話判定手段によりＴＶ電話の通信状態であると判定されたときに、ハンズフリーモードとするものであるが、ユーザは受信時に受話ボタンを押下し、かつ携帯電話機を所定の開閉状態にしなければ所望の通話モードによる通話を行うことができないため、その操作が複雑である。
【００１０】
そこで、本発明は、ハンズフリーモード等、所望の通話モードへ移行するための操作を行うことなく、操作入力部から発信又は着信を要求する操作を行い、アンテナ・マイクを伸縮させるだけで、アンテナ・マイクの状態に適した通話モードで通信を行うことができるマイクロホンが段階的に引出可能な携帯電話機、該携帯電話機の制御方法、及び該携帯電話機の制御プログラムが提案されている。
【課題を解決するための手段】
【００１１】
請求項１記載の発明は、送信する音声を音声信号に変換するマイクロホンと、携帯電話機本体から段階的に引き出されるアンテナとを有し、前記アンテナの先端部に前記マイクロホンが取り付けられている携帯電話機において、前記携帯電話機本体からの前記アンテナの段階的な引き出し状態を検出する検出手段と、前記検出手段によって検出された前記アンテナの引き出し状態に基いて通話モードを設定する設定手段とを有することを特徴とする。
【００１２】
請求項２記載の発明は、請求項１記載の携帯電話機において、着信を知らせる音を出力するスピーカと、前記マイクロホンの感度を制御する制御手段とを有し、前記検出手段によって前記アンテナが前記携帯電話機本体から引き出されていないことが検出されたとき、前記設定手段は、受信した音声を前記スピーカから出力し、かつ前記制御手段は前記マイクロホンの感度を高くするハンズフリーモードに設定することを特徴とする。
【００１３】
請求項３記載の発明は、請求項１又は２記載の携帯電話機において、受信した音声を出力するレシーバを有し、前記アンテナの先端部のみが前記携帯電話機本体から引き出されたことが前記検出手段によって検出されたとき、前記設定手段は、音声を前記レシーバから出力し、かつ前記制御手段が前記マイクロホンの感度を高くする集音モードに設定することを特徴とする。
【００１４】
請求項４記載の発明は、請求項１から３のいずれか１項記載の携帯電話機において、前記携帯電話機本体から所定の位置まで前記アンテナが引き出されたことが前記検出手段によって検出されたとき、前記設定手段は、音声を前記レシーバから出力し、かつ前記制御手段が前記マイクロホンの感度を低くすることを特徴とする。
【００１５】
請求項５記載の発明は、請求項１から４のいずれか１項記載の携帯電話機において、呼び出し状態において、前記検出手段によって前記アンテナが引き出し又は収納されたことを検出して応答し、通話状態とすることを特徴とする。
【００１６】
請求項６記載の発明は、請求項１から５のいずれか１項記載の携帯電話機において、通信相手先の電話番号が設定されたとき、前記検出手段によって前記アンテナが引き出し又は収納されたことを検出して発信状態とすることを特徴とする。
【００１７】
請求項７記載の発明は、請求項１から６のいずれか１項記載の携帯電話機において、通話状態において、前記検出手段によって前記アンテナが引き出し又は収納されたことを検出し、前記検出手段によって検出された前記アンテナの引き出し状態に応じた前記通話モードへ変更することを特徴とする。
【００１８】
請求項８記載の発明は、携帯電話機本体から段階的に引き出されるアンテナを有する携帯電話機において、前記携帯電話機本体からの前記アンテナの段階的な引き出し状態を検出する検出手段と、前記検出手段によって検出された前記アンテナの引き出し状態に基いて前記アンテナの受信感度を変更する変更手段とを有することを特徴とする。
【００１９】
請求項９記載の発明は、携帯電話機本体から段階的に引き出されるアンテナと、受信した音声を出力するレシーバとを有する携帯電話機において、前記携帯電話機本体からの前記アンテナの段階的な引き出し状態を検出する検出手段と、前記検出手段によって検出された前記アンテナの引き出し状態に基いて前記レシーバの音量を調整する調整手段とを有することを特徴とする。
【００２０】
請求項１０記載の発明は、送信する音声を音声信号に変換するマイクロホンと、携帯電話機本体から段階的に引き出されるアンテナとを有し、前記アンテナの先端部に前記マイクロホンが取り付けられている携帯電話機の制御方法において、前記携帯電話機本体からの前記アンテナの段階的な引き出し状態を検出する検出工程と、前記検出工程によって検出された前記アンテナの引き出し状態に基いて通話モードを設定する設定工程とを有することを特徴とする。
【００２１】
請求項１１記載の発明は、送信する音声を音声信号に変換するマイクロホンと、携帯電話機本体から段階的に引き出されるアンテナとを有し、前記アンテナの先端部に前記マイクロホンが取り付けられている携帯電話機の制御プログラムにおいて、前記携帯電話機本体からの前記アンテナの段階的な引き出し状態を検出する検出処理と、前記検出処理によって検出された前記アンテナの引き出し状態に基いて通話モードを設定する設定処理とを有することを特徴とする。
【発明の効果】
【００２２】
本発明は、ハンズフリーモード等、所望の通話モードへ移行するための操作を行うことなく、操作入力部から発信又は着信を要求する操作を行い、アンテナ・マイクを伸縮させるだけで、アンテナ・マイクの状態に適した通話モードで通信を行うことができる。
【発明を実施するための最良の形態】
【００２３】
以下、本発明の一実施形態に係わる携帯電話機の構成及び動作について説明する。
【００２４】
まず、本実施形態に係わる携帯電話機のシステム構成について図１を用いて説明する。
【００２５】
本実施形態に係わる携帯電話機１は、アンテナ２、送受信部３、検出部４、通信処理部５、音声信号処理部６、スピーカ７ａ、アンプ７ｂ、レシーバ７ｃ、マイクロホン８ａ、アンプ８ｂ、記憶部９、表示部１０、操作入力部１１、及び制御部１２を有して構成される。なお、本実施形態に係わる携帯電話機１のアンテナ２とマイクロホン８ａとは一体化して形成されている（以下、アンテナ・マイクとする）。
【００２６】
一体化された形成されるアンテナ２とマイクロホン８ａとは、図２（ａ）に示す筐体内に収納された状態と、図２（ｂ）に示すマイクロホン８ａのみが筐体から外に引き出された状態と、図２（ｃ）に示すマイクロホン８ａ及びアンテナ２が筐体から完全に引き出された状態とが可能な構成を有している。本実施形態においては、アンテナ・マイクは、図２（ａ）、（ｂ）、（ｃ）の三段階に伸縮する構成としたが、これに限定されるものではない。マイクロホン８ａは、アンテナの伸縮状態に応じてその感度が制御される。図２（ａ）及び（ｂ）に示す状態において通話が行われる場合、マイクロホン８ａがユーザの口元から離れた状態にあるため、マイクロホン８ａから入力された音声はアンプ８ｂにおいて増幅されて音声信号処理部６へ入力される（以下、マイク高感度モードとする）。一方、図２（ｃ）に示す状態において通話が行われる場合、マイクロホン８ａがユーザの口元にあるため、マイクロホン８ａから入力された音声はアンプ８ｂを介さずに音声信号処理部６へ入力される（以下、マイク通常モードとする）。アンプ８ｂを介さずに音声信号処理部６へ音声を入力することにより、ユーザの声のみを集音することができる。
【００２７】
検出部４は、アンテナ・マイクの筐体への収納状態を検知する。検出部４には、例えば、機械式センサやスイッチが用いられるが、これに限定されるものではなく光センサ等、各種検出手段を用いることができる。
【００２８】
送受信部３は、アンテナ２と接続され、情報の電波への変換や逆変換によって発信や受信が行われる。
【００２９】
通信処理部５は、音声信号のＤ／Ａ変換又はＡ／Ｄ変換、及び移動基地局との通信方式に則った信号処理を行う。
【００３０】
音声信号処理部６は、スピーカ７ａとマイクロホン８ａと接続されており、マイクロホン８ａを通じて得た話者の音声を音声信号に変換して通信処理部５に転送したり、受信した音声信号をスピーカ７ａ又はレシーバ７ｃに出力する。
【００３１】
なお、通常の音声通話にて接話（ユーザが耳を近づける状態）する際には、レシーバ７ｃから相手の音声を出力する。一方、ユーザが接話しないハンズフリーモードにおいては、音声信号処理部６から発信された音声信号はアンプ７ｂにおいて増幅されてスピーカ７ａから出力される。ここで用いられるスピーカ７ａは、携帯電話機１の背面側に設けられ着信時の鳴動をも出力する。
【００３２】
表示部１０は、例えば、液晶表示デバイス等であり、相手先の電話番号など各種情報を表示する。
【００３３】
操作入力部１１は、ユーザから要求をキー入力により受け付ける。なお、操作入力部１１は、ボタンスイッチや回転式スイッチ等、発信及び受信に必要なキースイッチの一切が含まれる。
【００３４】
記憶部９は、通信相手の氏名、名称、電話番号、Ｅ−ｍａｉｌアドレス、携帯電話機１を使用する上でユーザによって設定された各種設定等を記憶する。
【００３５】
制御部１２は、ＣＰＵ（中央処理装置）を用いて実現され、送受信部３、通信処理部５、音声信号処理部６、記憶部９、表示部１０、操作入力部１１の制御を司り、アンテナ２の伸縮状態の変化に応じて検出部３からの検出信号が入力される。
【００３６】
次に、本実施形態に係わる携帯電話機１の外観について図３を用いて説明する。
【００３７】
図３に示すように、本実施形態に係わる携帯電話機１は、スピーカ７ａ、レシーバ７ｃ、表示部１０、操作入力部１１、及びマイクロホン８ａとアンテナ２とが一体化されて構成されるアンテナ・マイク１３を有して構成される。
【００３８】
なお、本発明は、図４に示すような折り畳み型携帯電話機に適用することも可能である。図４に示すように、折り畳み型携帯電話機は、スピーカ７ａ、レシーバ７ｃ、及び表示部１０を有する上部筐体と、操作入力部１１及びマイクロホン８ａとアンテナ２とが一体化されて構成されるアンテナ・マイク１３を有する下部筐体と、これらを連結するヒンジ部とを有して構成される。上部筐体及び下部筐体は、略直方体状に形成されており、その前面部にそれぞれレシーバ７ｃ、表示部１０、及び操作入力部１１が配置され、その背面部にはスピーカ７ａが配置されている。また、アンテナ・マイク１３は、下部筐体の端部に伸縮自在に設けられている。
【００３９】
次に、本実施形態に係わる携帯電話機１において、発着信時にアンテナ・マイク１３の伸縮状態に応じて実行される処理について図２を用いて説明する。
【００４０】
まず、携帯電話機１が図２（ａ）に示すようにアンテナ・マイク１３が筐体内に完全に収納された状態において、発着信が行われる場合について説明する。アンテナ・マイク１３が筐体内に完全に収納された状態において発着信が行われた場合、検出部４によるアンテナ・マイク１３の伸長を検出するオン信号の制御部１２への送出は行われない。制御部１２は、図２（ａ）に示す状態における通信であると判断し、ハンズフリーモードへ移行する。ハンズフリーモードでは、マイク高感度モードにより自局側の音声を集音し、相手局側の受話音声はスピーカ７ｃから出力する。
【００４１】
次に、携帯電話機１が図２（ｂ）に示すようにアンテナ・マイク１３の先端部のみが筐体から露出している状態において、発着信が行われる場合について説明する。アンテナ・マイク１３の先端部のみが筐体から露出している状態において発着信が行われた場合、検出部４によってアンテナ・マイク１３の先端部のみが筐体から露出している状態が検出され、オン信号が制御部１２へ送出される。制御部１２は、図２（ｂ）に示す状態における通信であると判断し、マイク高感度モードへ移行して自局側の音声を集音し、相手局側の受話音声はレシーバ７ｃから出力する（以下、集音モードとする）。
【００４２】
次に、携帯電話機１が図２（ｃ）に示すようにアンテナ・マイク１３が筐体から完全に露出している状態において、発着信が行われる場合について説明する。アンテナ・マイク１３全体が完全に筐体から露出している状態において発着信が行われた場合、検出部４によってアンテナ・マイク１３が筐体から完全に露出している状態が検出され、音信号が制御部１２へ送出される。制御部１２は、図２（ｃ）に示す状態における通信であると判断し、マイク通常モードへ移行して自局側の音声を集音し、相手局側の受話音声はレシーバ７ｃから出力する（以下、指向性モードとする）。
【００４３】
本構成によれば、ユーザは操作入力部１１から発信又は着信を制御部１２に対して要求するだけで、ハンズフリーモードへ移行するための操作を行うことなく、アンテナ・マイク１３の状態に適した通話モードで通信を行うことができる。
【００４４】
次に、本実施形態に係わる携帯電話機１において、発着信時又は通話中のアンテナ・マイク１３の伸縮により実行される処理について図２を用いて説明する。
【００４５】
まず、携帯電話機１に着信があったときにアンテナ・マイク１３の伸縮状態が変化した場合について説明する。携帯電話機１に着信があったときにユーザがアンテナ・マイク１３を伸縮させた場合、検出部４はアンテナ・マイク１３の伸縮を検出し、制御部１２にオン信号を送出する。制御部１２は、ユーザによる操作入力部１１からの応答操作を待たずに、送受信部３に対して通信相手への応答を許可する。本処理によれば、携帯電話機１に着信があったとき、操作入力部１１からの応答操作を待たずにアンテナ・マイク１３の伸縮のみで着信への応答が可能であるため、操作性が向上する。
【００４６】
また、アンテナ・マイク１３の伸縮による着信への応答は、着信時のアンテナ・マイク１３の伸縮状態に係わらず、アンテナ・マイク１３を伸縮させることにより実行される。なお、アンテナ・マイク１３の伸縮による着信への応答後の通話モードは、アンテナ・マイク１３の伸縮後の状態に対応する通話モードが選択される。具体的には、アンテナ・マイク１３の伸縮後の状態が図２（ａ）に示す状態にある場合は、ハンズフリーモードによる通話が実行され、アンテナ・マイク１３の伸縮後の状態が図２（ｂ）に示す状態にある場合は、集音モードによる通話が実行され、アンテナ・マイク１３の伸縮後の状態が図２（ｃ）に示す状態にある場合は、指向性モードによる通話が実行される。
【００４７】
次に、操作入力部１１から通信相手が選択された後にアンテナ・マイク１３の伸縮状態が変化した場合について説明する。操作入力部１１から通信相手が選択された後にユーザがアンテナ・マイク１３を伸縮させた場合、検出部４はアンテナ・マイク１３の伸縮を検出し、制御部１２にオン信号を送出する。制御部１２は、ユーザによる操作入力部１１からの発信操作を待たずに、送受信部３に対して通信相手への発信を許可する。本処理によれば、操作入力部１１から通信相手が選択された後にアンテナ・マイク１３の伸縮状態が変化し場合に、操作入力部１１からの発信操作を待たずにアンテナ・マイク１３の伸縮のみで通信相手への発信が可能であるため、操作性が向上する。
【００４８】
また、アンテナ・マイク１３の伸縮による発信は、発信時のアンテナ・マイク１３の伸縮状態に係わらず、アンテナ・マイク１３を伸縮させることにより実行される。なお、アンテナ・マイク１３の伸縮による発信後の通話モードは、アンテナ・マイク１３の伸縮後の状態に対応する通話モードが選択される。具体的には、アンテナ・マイク１３の伸縮後の状態が図２（ａ）に示す状態にある場合は、ハンズフリーモードによる通話が実行され、アンテナ・マイク１３の伸縮後の状態が図２（ｂ）に示す状態にある場合は、集音モードによる通話が実行され、アンテナ・マイク１３の伸縮後の状態が図２（ｃ）に示す状態にある場合は、指向性モードによる通話が実行される。
【００４９】
次に、通話中にアンテナ・マイク１３の伸縮状態が変化した場合の動作について図２を用いて説明する。
【００５０】
通話中にアンテナ・マイク１３の伸縮状態が変化した場合、制御部１２は検出部４によるアンテナ・マイク１３の伸縮状態を示す信号に基いて、伸縮後のアンテナ・マイク１３の伸縮状態に対応する通話モードを選択する。具体的には、具体的には、アンテナ・マイク１３の伸縮後の状態が図２（ａ）に示す状態にある場合は、ハンズフリーモードによる通話が実行され、アンテナ・マイク１３の伸縮後の状態が図２（ｂ）に示す状態にある場合は、集音モードによる通話が実行され、アンテナ・マイク１３の伸縮後の状態が図２（ｃ）に示す状態にある場合は、指向性モードによる通話が実行される。
【００５１】
次に、本実施形態に係わる携帯電話機１において、発着信時にアンテナ・マイク１３の伸縮状態に応じて通話モードが設定され、通話が開始される動作の手順について図５を用いて説明する。
【００５２】
携帯電話機１は、外部端末からの着信又は自機からの発信の指示を待って待機する（ステップＳ５０１）。外部端末からの着信又は自機からの発信の指示があった場合は（ステップＳ５０１／ＹＥＳ）、検出部４によってアンテナ・マイク１３の伸縮状態の検出が行われる（ステップＳ５０２）。検出部４は、検出したアンテナ・マイク１３の伸縮状態を示す信号を制御部１２に送出する。検出部４からアンテナ・マイク１３の伸縮状態を示す信号を受信した制御部１２は、該信号に基く通話モードを選択・設定する（ステップＳ５０３）。通話モードの設定が完了すると、制御部１２は送受信部３へ通話の開始を許可する（ステップＳ５０４）。
【００５３】
次に、本実施形態に係わる携帯電話機１において着信時にアンテナ・マイク１３の伸縮により応答を許可する動作の手順について図６を用いて説明する。
【００５４】
携帯電話機１は、外部端末からの着信を待って待機する（ステップＳ６０１）。外部端末からの着信があった場合は（ステップＳ６０１／ＹＥＳ）、検出部４によってアンテナ・マイク１３の伸縮が監視される（ステップＳ６０２）。検出部４によってアンテナ・マイク１３の伸縮が検出された場合は（ステップＳ６０２／ＹＥＳ）、検出したアンテナ・マイク１３の伸縮状態を示す信号が制御部１２に送出される。検出部４からアンテナ・マイク１３の伸縮状態を示す信号を受信した制御部１２は、送受信部３に外部端末からの着信への応答を許可する（ステップＳ６０３）。次に、制御部１２は、検出部４から受信した信号に基く通話モードを選択・設定する（ステップＳ６０４）。通話モードの設定が完了すると、制御部１２は送受信部３へ通話の開始を許可する（ステップＳ６０５）。
【００５５】
次に、本実施形態に係わる携帯電話機１において発信時にアンテナ・マイク１３の伸縮により発信を許可する動作の手順について図７を用いて説明する。
【００５６】
携帯電話機１は、操作入力部１１からの通信相手の電話番号等の入力を待って待機する（ステップＳ７０１）。操作入力部１１から通信相手の電話番号等の入力があった場合は（ステップＳ７０１／ＹＥＳ）、検出部４によってアンテナ・マイク１３の伸縮が監視される（ステップＳ７０２）。検出部４によってアンテナ・マイク１３の伸縮が検出された場合は（ステップＳ７０２／ＹＥＳ）、検出したアンテナ・マイク１３の伸縮状態を示す信号が制御部１２に送出される。検出部４からアンテナ・マイク１３の伸縮状態を示す信号を受信した制御部１２は、送受信部３に外部端末への発信を許可する（ステップＳ７０３）。次に、制御部１２は、検出部４から受信した信号に基く通話モードを選択・設定する（ステップＳ７０４）。通話モードの設定が完了すると、制御部１２は送受信部３へ通話の開始を許可する（ステップＳ７０５）。
【００５７】
次に、本実施形態に係わる携帯電話機１において通話が行われているときに、アンテナ・マイク１３の伸縮が行われた場合の動作の手順について図８を用いて説明する。
【００５８】
本実施形態に係わる携帯電話機１において通話が開始されると（ステップＳ８０１）、検出部４によってアンテナ・マイク１３の伸縮が監視される（ステップＳ８０２）。そして、通話中にアンテナ・マイク１３の伸縮が検出されると（ステップＳ８０２／ＹＥＳ）、検出したアンテナ・マイク１３の伸縮状態を示す信号が制御部１２に送出される。検出部４からアンテナ・マイク１３の伸縮状態を示す信号を受信した制御部１２は、検出部４から受信した信号に基く通話モードを選択・設定する（ステップＳ８０３）。通話モードの設定が完了すると、制御部１２は送受信部３へ通話の継続を許可する。
【００５９】
また、通話中にアンテナ・マイク１３の伸縮状態が変化した場合の他の実施形態として、サービスエリアのエッジなど受信感度が悪い地域に携帯電話機１がある場合において、アンテナ・マイク１３を引き出すことにより、受信感度、送信パワーを上げることも可能である。
【００６０】
さらに、通話中にアンテナ・マイク１３の伸縮状態が変化した場合の他の実施形態として、アンテナの位置によって、受話ボリュームを自動的に調整することも可能である。
【図面の簡単な説明】
【００６１】
【図１】本実施形態に係わる携帯電話機のシステム構成を示すブロック図である。
【図２】本実施形態に係わる携帯電話機が有するアンテナ・マイクの伸縮状態の変化を示す図である。
【図３】本実施形態に係わる携帯電話機の外観を示す図である。
【図４】本実施形態に係わる折り畳み型携帯電話機の外観を示す図である。
【図５】発着信時にアンテナ・マイクの伸縮状態に応じて通話モードが設定され、通話が開始される動作のフローチャートである。
【図６】着信時にアンテナ・マイクの伸縮により応答を許可する動作のフローチャートである。
【図７】発信時にアンテナ・マイクの伸縮により発信を許可する動作のフローチャートである。
【図８】通話が行われているときに、アンテナ・マイクの伸縮が行われた場合の動作のフローチャートである。
【符号の説明】
【００６２】
１    携帯電話機
２    アンテナ
３    送受信部
４    検出部
５    通信処理部
６    音声信号処理部
７    スピーカ
８    マイクロホン
９    記憶部
１０    表示部
１１    操作入力部
１２    制御部
１３    アンテナ・マイク
【図１】
2007124337.tif 000003
【図２】
2007124337.tif 000004
【図３】
2007124337.tif 000005
【図４】
2007124337.tif 000006
【図５】
2007124337.tif 000007
【図６】
2007124337.tif 000008
【図７】
2007124337.tif 000009
【図８】
2007124337.tif 000010